(57)【要約】【課題】より手軽にうさぎの尿などの排泄物の処理を行うことができ、うさぎ用トイレの容器の衛生を維持できるうさぎ用シーツを提供する。【解決手段】うさぎ用シーツ１０，２０，３０は、排泄物を吸収するものであって、直角三角形のシート状に形成された吸収体１と、前記吸収体１よりも寸法大に形成され、前記吸収体１の両面を被覆するシート状の被覆材料２と、前記被覆材料２からなり、少なくとも前記吸収体１の直角部を形成する２辺の周縁端外側に設けられる周縁部２１と、を備える。【選択図】図１
2015149945.tif 000002
【特許請求の範囲】
【請求項１】
排泄物を吸収するためのうさぎ用シーツであって、
直角三角形のシート状に形成された吸収体と、
前記吸収体よりも寸法大に形成され、前記吸収体の両面を被覆するシート状の被覆材料と、
前記被覆材料からなり、少なくとも前記吸収体の直角部を形成する２辺の周縁端外側に設けられる周縁部と、
を備えることを特徴とするうさぎ用シーツ。
【請求項２】
前記吸収体は、少なくとも前記直角部に、より吸水性の高められた吸水強化部を設けることを特徴とする請求項１に記載のうさぎ用シーツ。
【請求項３】
前記吸収体は、前記直角部の対辺から離間する方向に延びる突出部を前記直角部に設けることを特徴とする請求項１または２に記載のうさぎ用シーツ。
【請求項４】
前記被覆材料は、前記吸収体の両面ともに液透過性を有する不織布からなることを特徴とする請求項１〜３の何れかに記載のうさぎ用シーツ。
【発明の詳細な説明】
【技術分野】
【０００１】
本発明は、うさぎの尿処理のためのうさぎ用シーツに関する。
【背景技術】
【０００２】
従来、犬や猫、うさぎなどの動物の尿等の排泄物を処理するために、ペット用トイレとしての容器内底面にペット用シーツを敷く、或いはトイレ用砂を敷くなどすることが知られている（特許文献１，２）。
【０００３】
例えば、うさぎ用のトイレとしては、限られたケージ内のスペースを有効利用するため角部に配置されるものが一般的であり、上部が開口し、平面視で底面形状が三角形の容器が広く普及している。
【先行技術文献】
【特許文献】
【０００４】
【特許文献１】特許第４９８６６０９号
【特許文献２】特許第２７６６６３２号
【発明の概要】
【発明が解決しようとする課題】
【０００５】
しかしながら、特許文献１のような平面視長方形状のペット用シーツでは、平面視三角形の底面を有する容器に敷く場合に上手く容器の形状に適合せず、容器の壁などに飛散した排泄物が壁を伝ってペット用シーツと容器底面の間に入り込むなどする問題があった。
【０００６】
また、ペット用シーツの吸収力が不足するなどの場合には、吸収しきれなかった排泄物によって容器が汚れてしまい悪臭が発生するという問題があった。
【０００７】
特許文献２のようなトイレ用砂を容器底部に敷けば、ペット用シーツよりも排泄物の吸収は良くなるが、毎回排泄物の掛かった箇所、或いは容器内の全ての砂を取り除いて処理する必要があるため、ペット用シーツと比較すると処理に手間が掛かるという問題があった。
【０００８】
特に、うさぎの尿にはカルシウムが多量に含まれており、尿石となって容器に付着しやすく、付着した尿石を取り除くには非常に手間が掛かるものであるため、より手軽に排泄物の処理を行うことができるものが望まれていた。
【課題を解決するための手段】
【０００９】
本発明は、より手軽にうさぎの尿などの排泄物の処理を行うことができ、うさぎ用トイレの容器の衛生を維持できるうさぎ用シーツの提供を目的とする。
【００１０】
即ち、本発明は下記［１］〜［４］に記載の構成を有する。
【００１１】
［１］  排泄物を吸収するためのうさぎ用シーツであって、
直角三角形のシート状に形成された吸収体と、
前記吸収体よりも寸法大に形成され、前記吸収体の両面を被覆するシート状の被覆材料と、
前記被覆材料からなり、少なくとも前記吸収体の直角部を形成する２辺の周縁端外側に設けられる周縁部と、
を備えることを特徴とするうさぎ用シーツ。
【００１２】
［２］  前記吸収体は、少なくとも前記直角部に、より吸水性の高められた吸水強化部を設けることを特徴とする前項１に記載のうさぎ用シーツ。
【００１３】
［３］  前記吸収体は、前記直角部の対辺から離間する方向に延びる突出部を前記直角部に設けることを特徴とする前項１または２に記載のうさぎ用シーツ。
【００１４】
［４］  前記被覆材料は、前記吸収体の両面ともに液透過性を有する不織布からなることを特徴とする前項１〜３の何れかに記載のうさぎ用シーツ。
【発明の効果】
【００１５】
上記［１］に記載の発明によれば、直角三角形のシート状に形成された吸収体と、吸収体よりも寸法大に形成され、吸収体の両面を被覆するシート状の被覆材料と、被覆材料からなり、少なくとも吸収体の直角部を形成する２辺の周縁端外側に設けられる周縁部と、を備えるので、吸収体の寸法がうさぎ用トイレの底面寸法に適合していれば、うさぎ用トイレの壁面に密着或いは接触するように周縁部を立ち上げて配置させることができ、壁面を伝って流れ落ちる排泄物を吸収体へ誘導して吸収することができるため衛生的であり、排泄物の処理をより手軽にできるようになる。
【００１６】
うさぎ用シーツがうさぎ用トイレの形状に適合していれば、うさぎ用シーツをうさぎが噛むなどして破壊する虞が低減するので、破壊されたシーツで容器が汚れるなどすることもなく衛生的であり、汚れたシーツの処分も容易にできる。
【００１７】
また、うさぎ用シーツの形状が三角形或いは略三角形であれば、底面が三角形の形状をしたうさぎ用トイレに合わせて折畳むなどの手間なく容易に適用させることができる。
【００１８】
上記［２］に記載の発明によれば、吸収体は、少なくとも直角部に、より吸水性の高められた吸水強化部を設けるので、うさぎが排泄する頻度の高いうさぎ用トイレの角部に吸水強化部が配置され、排泄物をより確実に吸収させることができる。
【００１９】
上記［３］に記載の発明によれば、吸収体は、直角部の対辺から離間する方向に延びる突出部を直角部に設けるので、うさぎが排泄する頻度の高いうさぎ用トイレの角部の壁面に突出部を押し当てるようにしてうさぎ用シーツを配置させることで、うさぎ用トイレの角部の壁面に飛散した排泄物が突出部で吸収されることになり、壁を伝ってうさぎ用シーツとうさぎ用トイレとの間に排泄物が入り込むことを防止する。
【００２０】
上記［４］に記載の発明によれば、被覆材料は、吸収体の両面ともに液透過性を有する不織布からなるので、吸収体の表面だけでなく裏面からも排泄物を吸収することができるため、うさぎ用シーツとうさぎ用トイレの底面との間に排泄物が流れ込んでしまった場合であっても、うさぎ用シーツの裏面から確実に排泄物を吸収することができる。
【図面の簡単な説明】
【００２１】
【図１】本発明の第１実施形態に係るうさぎ用シーツの正面図及び平面図である。
【図２Ａ】うさぎ用トイレ及び本発明に係るうさぎ用シーツの使用方法について説明するための説明図である。
【図２Ｂ】うさぎ用トイレ及び本発明に係るうさぎ用シーツの使用方法について説明するための説明図である。
【図３】本発明に係るうさぎ用シーツの断面構造図である。
【図４】本発明の第２実施形態に係るうさぎ用シーツの正面図及び平面図である。
【図５】本発明の第３実施形態に係るうさぎ用シーツの正面図及び平面図である。
【発明を実施するための形態】
【００２２】
以下、図面を参照して、本発明の実施形態について説明する。
【００２３】
図１は、第１実施形態に係るうさぎ用シーツ１０の正面図及び平面図、図２Ａ，２Ｂは、うさぎ用トイレ５０及びうさぎ用シーツ１０の使用方法について説明するための説明図、図３は、うさぎ用シーツ１０の断面構造図、図４は、第２実施形態に係るうさぎ用シーツ２０の正面図及び平面図、図５は、第３実施形態に係るうさぎ用シーツ３０の正面図及び平面図である。
【００２４】
図１〜５に示す本発明のうさぎ用シーツ１０，２０，３０は、うさぎの尿などの液状の排泄物を吸収するためのものであり、主にディスポーザブル品として使用されるものである。
【００２５】
うさぎ用シーツ１０，２０，３０は、吸水性を有する吸収体１（クロスハッチングで示した部位）と、吸収体１の両面を被覆するシート状の被覆材料２と、被覆材料２の一部であり、吸収体１の周縁端外側に設けられる周縁部２１と、を備えて構成され、うさぎ用トイレ５０の底面に敷いて用いられるものである。
【００２６】
図２Ａに示すように、うさぎ用トイレ５０は、底面形状が三角形で上部が開口した容器と、開口部を塞ぐように安定的に載置される網状の網体５１と、を備えるものである。
【００２７】
うさぎ用トイレ５０は、主に平面視長方形状のケージの角部に配置される。
【００２８】
ケージの角部にスペースの無駄なく載置することができるため、うさぎ用トイレ５０は、直角三角形に形成されている。
【００２９】
うさぎ用トイレ５０は、開口部に載置された網体５１上でうさぎが排泄することにより、容器の底面に敷いたうさぎ用シーツ１０上に排泄物がかかるように構成されている。
【００３０】
以下では、図１〜３に基づいて第１実施形態に係るうさぎ用シーツ１０について説明する。
【００３１】
うさぎ用シーツ１０に備えられた吸収体１は、吸水性を有し、直角三角形或いは略直角三角形のシート状に形成されている。
【００３２】
例えば、本実施形態では、吸収体１が、直角二等辺三角形に形成されている。
【００３３】
吸収体１は、うさぎ用トイレ５０の底面寸法と略同等程度の寸法に形成されている。
【００３４】
図３に示すように、吸収体１は、吸水性紙よりなる吸水性紙層１１（以降、「下部吸水性紙層１１」と記す。）上にパルプ層１２及び吸水層１３が順に積層され、更に吸水性紙層１４（以降、「上部吸水性紙層１４」と記す。）が積層されて形成されている。
【００３５】
下部吸水性紙層１１及び上部吸水性紙層１４には、例えば、脱脂綿、トイレットペーパー、ティッシュペーパーなどの高吸水性繊維などが用いられる。
【００３６】
下部吸水性紙層１１及び上部吸水性紙層１４には、異なる材料が用いられるのであってもよいが、以下では同一材料が用いられるものとして説明する。
【００３７】
パルプ層１２には、パルプ繊維或いはパルプ粉砕物などのパルプ材料が用いられる。
【００３８】
吸水層１３は、排泄物を吸水、保持する層であり、吸水性ポリマー、即ち高吸水性樹脂などが用いられ、例えば、ポリアクリル酸の架橋物、澱粉またはセルロースとアクリル酸のグラフト重合体、ビニルアルコールとアクリル酸の共重合体、カルボキシメチルセルロースの架橋物、ポリビニルアルコールの架橋物などが挙げられ、このような吸水性樹脂のうち少なくとも１種以上が好適に用いられる。
【００３９】
吸収体１には、直角三角形の直角部に突出部４が設けられている。
【００４０】
図１に示すように、突出部４は、直角部の対辺から離間する方向に延びるように設けられている。
【００４１】
例えば、本実施形態では、突出部４の先端は、丸みを帯びた形状に形成されている。
【００４２】
突出部４も吸収体１のその他の部位と同様に、下部吸水性紙層１１上にパルプ層１２、吸水層１３及び上部吸水性紙層１４が順に積層されて構成されている。
【００４３】
吸収体１がうさぎ用トイレ５０の底面に敷かれると、突出部４は、うさぎ用トイレ５０の角部をなす両壁面５０ａ，５０ｂに沿って底面から立ち上がるようにして配置される。
【００４４】
このようにうさぎ用シーツ１０がうさぎ用トイレ５０の底面に敷いた際、うさぎが噛んだりしないように、うさぎ用シーツ１０上に載置した網体５１の高さ以下に収まるようにうさぎ用シーツ１０の寸法が設定されることが好ましい。
【００４５】
尚、突出部４が設けられる場合には、うさぎ用トイレ５０の壁面５０ａ，５０ｂに沿って突出部４が立ち上がるように、うさぎ用シーツ１０が底面に敷かれることが好ましいが、突出部４を底面に接触するよう内側に折り込んでうさぎ用シーツ１０が底面に敷かれるのであってもよい。
【００４６】
吸収体１は、直角部の対辺から離間する方向に延びる突出部４を直角部に設けるように構成されることで、うさぎが排泄する頻度の高いうさぎ用トイレ５０の角部の壁面５０ａ，５０ｂに突出部４を押し当てるようにしてうさぎ用シーツ１０を配置させることで、うさぎ用トイレ５０の角部の壁面５０ａ，５０ｂに飛散した排泄物が突出部４で吸収されることになり、壁面５０ａ，５０ｂを伝ってうさぎ用シーツ１０とうさぎ用トイレ５０との間に排泄物が入り込むことを防止する。
【００４７】
吸収体１は、少なくともその一部に、網点で示す、より吸水性が高められた３を設けている。
【００４８】
尚、図中では、吸水強化部３の吸水層１３との厚み変化を強調して表しているが、実際の厚みの変化はわずかである。
【００４９】
吸水強化部３は、うさぎが所定の位置で排泄するという特性を利用して、うさぎが排泄する頻度の最も高い位置に設けられている。
【００５０】
図１に示すように、吸水強化部３は、本実施形態では、突出部４及びその周辺、即ち、直角三角形の直角部に設けられており、略長方形の領域に設定されている。
【００５１】
吸水強化部３は、その他の吸水層１３よりも高い吸水性を有するために、その他の吸水層１３よりも吸水性ポリマーの量が多い、或いはその他の吸水層１３よりも高吸水性の材料を用いるなどされる。
【００５２】
吸水強化部３で用いられる吸水性ポリマーは、吸水層１３と同様、例えば、ポリアクリル酸の架橋物、澱粉またはセルロースとアクリル酸のグラフト重合体、ビニルアルコールとアクリル酸の共重合体、カルボキシメチルセルロースの架橋物、ポリビニルアルコールの架橋物などが挙げられ、このような吸水性樹脂のうち少なくとも１種以上が好適に用いられる。
【００５３】
尚、以下では、便宜上、吸水層１３に用いられる「吸水性ポリマー」を「第１吸水性ポリマー」と記すことがある。また、吸水強化部３に用いられる「吸水性ポリマー」を「第２吸水性ポリマー」と記すことがある。
【００５４】
吸収体１は、少なくとも直角部に、より吸水性の高められた吸水強化部３を設けるように構成されることで、うさぎが排泄する頻度の高いうさぎ用トイレ５０の角部に吸水強化部３が配置され、排泄物をより確実に吸収させることができる。
【００５５】
また、突出部４に吸水強化部３が設けられる場合に、突出部４がうさぎ用トイレ５０の底面に接触するよう内側に折り込まれて敷かれると、うさぎ用トイレ５０の底面に排泄物が流れ込んでしまった場合であっても、吸収強化部３によって確実に吸収することができる。
【００５６】
吸収体１は、その両面がシート状に形成された被覆材料２により被覆されている。
【００５７】
被覆材料２は、例えば、液透過性を有する不織布からなり、不織布として、スパンボンド不織布、スパンボンド−メルトブローン−スパンボンド（ＳＭＳ）不織布などの各種不織布を親水化処理したものなどが好適に用いられる。
【００５８】
不織布２は、吸収体１よりも寸法大に形成され、吸収体１の両面に１枚ずつ張り合わされている。
【００５９】
不織布２は、接着剤などにより吸収体１の表面に接着され、吸収体１の周縁端の外側に延びる端部同士が貼り合わされている。
【００６０】
貼り合わされた不織布２の端部は、吸収体１の周縁端外側に設けられる周縁部２１を形成している。
【００６１】
周縁部２１は、吸収体１の周縁端の全周に渡って一定の幅寸法で設けられている。
【００６２】
周縁部２１の幅寸法は、吸水して膨張した吸水性ポリマーによる周縁部２１の接着剥離などを防止して、吸水性ポリマーなどの外部への飛び出しが生じないように、目標飽和吸水量や吸水性ポリマーの種類などに応じて適宜設定される。
【００６３】
上述したように被覆材料２は、吸収体１の両面ともに液透過性を有する不織布２からなるので、吸収体１の表面だけでなく裏面からも排泄物を吸収することができるため、うさぎ用シーツ１０とうさぎ用トイレ５０の底面との間に排泄物が流れ込んでしまった場合であっても、うさぎ用シーツ１０の裏面から確実に排泄物を吸収することができる。
【００６４】
以下では、うさぎ用シーツ１０の製造方法の一例について簡単に説明する。
【００６５】
まず、下部吸水性紙がうさぎ用トイレ５０の底面形状に適した形状に成形され、下部吸水性紙上にパルプ材料が供給されて、下部吸水性紙層１１上にパルプ層１２が積層される。
【００６６】
続いて、パルプ層１２は、その層１２上に第１吸水性ポリマーが供給され、吸水層１３が形成される。
【００６７】
その後、第２吸水性ポリマーが、吸水層１３上、且つ吸収体１の突出部４及びその周辺となる部分のみに供給され、吸水強化部３が形成される。
【００６８】
尚、第１吸水性ポリマーと第２吸水性ポリマーは、同一の吸水性ポリマーであってもよいし、吸水強化部３により吸水性能の高い吸水性ポリマーを散布するのであってもよい。
【００６９】
少なくとも、吸水強化部３が、その他の部位に散布された吸水層１３よりも高い吸水性能を有するものとなればよい。
【００７０】
続いて、上部吸水性紙が下部吸水性紙層１１と同寸法に形成され、吸水層１３及び吸水強化部３上に上部吸水性紙層１４が積層される。
【００７１】
この時、吸収体１は、下部吸水性紙層１１、パルプ層１２、吸水ポリマー層及び上部吸水性紙層１４が積層された状態となり、直角三角形の直角部に直角部の対辺から離間する方向に延びるように突出部４が設けられて成形されている。
【００７２】
その後、吸収体１は、プレスされるなどして押し固められ、吸収体１の寸法より若干大きい寸法に成形された不織布２によって両面が挟み込まれるようにして重ね合わせられて接着される。
【００７３】
例えば、不織布２は、吸収体１と重ね合わせられる側の面に、ホットメルト接着剤が塗布され、吸収体１を挟み込んだ上下の不織布２がそれぞれ吸収体１の表面に貼り合わされて、吸収体１及び不織布２が一体化した状態に形成される。
【００７４】
一体化した吸収体１及び不織布２は、プレスされるなどしてより強固に接着されて、吸収体１と周縁部２１を備えたうさぎ用シーツ１０となる。
【００７５】
尚、うさぎ用シーツ１０は、説明したように手作業によって製造されるのであってもよいし、工場などの製造ラインで製造されるのであってもよい。
【００７６】
このようにして得られたうさぎ用シーツ１０は、折畳まれるなどして梱包された後出荷される。
【００７７】
上述したうさぎ用シーツ１０の吸水強化部３は、突出部４にのみ設けられるように説明したが、突出部４から直角部の対辺にかけて直線状に吸水強化部が設けられるのであってもよい。
【００７８】
また、上述では、直角三角形の直角部に突出部４を設け、且つ突出部４が吸水強化部３となるように説明したが、この構成に限定されるものではない。
【００７９】
うさぎ用シーツ１０は突出部４を設け、且つ突出部４が吸水強化部３となる構成が好ましいが、例えば、図４に示すように、突出部４のみが設けられる構成であってもよいし、突出部４を備えない直角三角形の直角部から対辺にかけて吸水強化部３が設けられた吸収体１と周縁部２１とを備える構成のうさぎ用シーツ２０であってもよいし、或いは、図５に示すように、吸水強化部３も突出部４も備えない直角三角形に形成された吸収体１と周縁部２１とを備える構成のうさぎ用シーツ３０であってもよい。
【００８０】
上述したうさぎ用シーツ１０，２０，３０は、両面が液透過性の不織布２で形成されたものとして説明したが、両面が液透過性の不織布２で形成されることが必須の構成ではない。
【００８１】
吸収体１の被覆材料２は、安価であることなどから不織布２が用いられることが好ましいが、例えば、織布や紙などが用いられるのであってもよいし、少なくとも吸収体１の片面に液透過性の被覆材料２が用いられるのであればよく、不織布２以外の材料を用いたその他の構成を排除するものではない。
【００８２】
また、排泄物をより吸収し易いため、両面に透水性の材料が用いられることが好ましいが、例えば、一面に透水性の材料を用い、他面に不透水性の材料が用いられるのであってもよい。
【００８３】
例えば、うさぎ用トイレ５０の底面に接触する側に不透水性の撥水性シートを用いることもできる。
【００８４】
この場合、うさぎ用トイレ５０の壁面５０ａ，５０ｂなどに飛散した排泄物が壁を伝うなどしてうさぎ用シーツ１０，２０，３０とうさぎ用トイレ５０底面の間に入り込むことを防止するために、パルプや吸水性ポリマーの散布量を増やすなどして吸水性を高める、周縁部２１がうさぎ用トイレ５０の壁面５０ａ，５０ｂにより密着して立ち上がるようにするなどして構成してもよい。
【００８５】
上述した吸収体１は、除菌抗菌剤や消臭剤などの添加物が添加されて構成されるのであってもよい。
【００８６】
また、うさぎ用シーツ１０，２０，３０の表面に、或いは吸収体１の表面にエンボス加工が施されるのであってもよい。
【００８７】
うさぎの場合には、所定の位置で排泄するという特性があるため、吸収した液体が排泄した個所からなるべく吸収体１の全体に広がるように、細かい目のエンボス加工がなされることが好ましいが、これに限定されるものではない。
【００８８】
上述した周縁部２１は、吸収体１の全周縁端部に設けられるよう図示しているが、これに限定されるものではなく、例えば、うさぎ用トイレ５０の壁面５０ａ，５０ｂに接触して立ち上がるように、少なくともうさぎ用シーツ１０，２０，３０の直角部を形成する２辺の周縁端に設けられるのであればよい。
【００８９】
上述では、吸水強化部３に吸水性ポリマーが用いられることにより排泄物が吸水、保持されるように説明したが、これに限定されるものではなく、吸水性シートや複数層に積層された吸水性紙が用いられるのであってもよい。
【００９０】
また、吸水層１３に関しても同様に、吸水性ポリマー以外の材料を用いることによって排泄物が吸水、保持されるのであってもよい。
【００９１】
以上説明したように、上述したうさぎ用シーツ１０，２０，３０は、直角三角形のシート状に形成された吸収体１と、吸収体１よりも寸法大に形成され、吸収体１の両面を被覆するシート状の被覆材料２と、被覆材料２からなり、少なくとも吸収体１の直角部を形成する２辺の周縁端外側に設けられる周縁部２１と、を備えるので、吸収体１の寸法がうさぎ用トイレ５０の底面寸法に適合していれば、うさぎ用トイレ５０の壁面に密着或いは接触するように周縁部２１を立ち上げて配置させることができ、壁面を伝って流れ落ちる排泄物を吸収体１へ誘導して吸収することができるため衛生的であり、排泄物の処理をより手軽にできるようになる。
【００９２】
うさぎ用シーツ１０，２０，３０がうさぎ用トイレ５０の形状に適合していれば、うさぎ用シーツ１０，２０，３０をうさぎが噛むなどして破壊する虞が低減するので、破壊されたシーツで容器が汚れるなどすることもなく衛生的であり、汚れたシーツの処分も容易にできる。
【００９３】
また、うさぎ用シーツ１０，２０，３０の形状が三角形或いは略三角形であれば、底面が三角形の形状をしたうさぎ用トイレ５０に合わせて折畳むなどの手間なく容易に適用させることができる。
【００９４】
以上説明した実施形態は、本発明の一例に過ぎず、本発明の作用効果を奏する範囲において具体的構成などを適宜変更設計できることは言うまでもない。
【産業上の利用可能性】
【００９５】
本発明は、ペット、中でも特にうさぎの尿等の液状排泄物を吸収するために好適に用いられる。
【符号の説明】
【００９６】
１…吸収体
２…周縁部
３…吸水強化部
１０，２０，３０…うさぎ用シーツ
２…被覆材料（不織布）
５０…うさぎ用トイレ
【図１】
2015149945.tif 000003
【図２Ａ】
2015149945.tif 000004
【図２Ｂ】
2015149945.tif 000005
【図３】
2015149945.tif 000006
【図４】
2015149945.tif 000007
【図５】
2015149945.tif 000008
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
排泄物を吸収するためのうさぎ用シーツであって、
直角三角形のシート状に形成された吸収体と、
前記吸収体よりも寸法大に形成され、前記吸収体の両面を被覆するシート状の被覆材料と、
前記被覆材料からなり、少なくとも前記吸収体の直角部を形成する２辺の周縁端外側に設けられる周縁部と、
を備え、
前記吸収体は、少なくとも前記直角部に、より吸水性の高められた吸水強化部を設けることを特徴とするうさぎ用シーツ。
【請求項２】
前記吸収体は、前記直角部の対辺から離間する方向に延びる突出部を前記直角部に設けることを特徴とする請求項１に記載のうさぎ用シーツ。
【請求項３】
排泄物を吸収するためのうさぎ用シーツであって、
直角三角形のシート状に形成された吸収体と、
前記吸収体よりも寸法大に形成され、前記吸収体の両面を被覆するシート状の被覆材料と、
前記被覆材料からなり、少なくとも前記吸収体の直角部を形成する２辺の周縁端外側に設けられる周縁部と、
を備え、
前記吸収体は、前記直角部の対辺から離間する方向に延びる突出部を前記直角部に設けることを特徴とするうさぎ用シーツ。
【請求項４】
前記被覆材料は、前記吸収体の両面ともに液透過性を有する不織布からなることを特徴とする請求項１〜３の何れかに記載のうさぎ用シーツ。
【手続補正２】
【補正対象書類名】明細書
【補正対象項目名】００４７
【補正方法】変更
【補正の内容】
【００４７】
吸収体１は、少なくともその一部に、網点で示す、より吸水性が高められた吸水強化部３を設けている。
【手続補正３】
【補正対象書類名】明細書
【補正対象項目名】００５５
【補正方法】変更
【補正の内容】
【００５５】
また、突出部４に吸水強化部３が設けられる場合に、突出部４がうさぎ用トイレ５０の底面に接触するよう内側に折り込まれて敷かれると、うさぎ用トイレ５０の底面に排泄物が流れ込んでしまった場合であっても、吸水強化部３によって確実に吸収することができる。
【手続補正４】
【補正対象書類名】明細書
【補正対象項目名】００７１
【補正方法】変更
【補正の内容】
【００７１】
この時、吸収体１は、下部吸水性紙層１１、パルプ層１２、吸水層１３及び上部吸水性紙層１４が積層された状態となり、直角三角形の直角部に直角部の対辺から離間する方向に延びるように突出部４が設けられて成形されている。